(57)【要約】【課題】プレイリストをダビングする際に、プレイリスト中に存在する複数のプレイアイテムの参照するクリップが同一である場合、プレイリスト再生のためには不必要な容量をダビングしてしまう。【解決手段】１つのクリップを前記複数のプレイアイテムが参照する場合、記録媒体の内部の管理ファイルにおいて前記１つのクリップを分割し、分割されたそれぞれのクリップが前記複数のプレイアイテムのそれぞれに対応するように関連付けを行う制御部１０５を備える情報記録装置を用いて記録を行う。【選択図】図１
2009259307.tif 000002
【特許請求の範囲】
【請求項１】
映像又は音声情報を記録し、さらに前記映像又は音声情報のうちの任意の情報をプレイリストとして記録する情報記録装置に用いる半導体集積回路であって、
前記プレイリストは複数のプレイアイテムから構成されており、
１つのクリップを前記複数のプレイアイテムが参照する場合、記録媒体の内部の管理ファイルにおいて前記１つのクリップを分割し、分割されたそれぞれのクリップが前記複数のプレイアイテムのそれぞれに対応するように関連付けを行う制御部を備える
ことを特徴とする半導体集積回路。
【請求項２】
前記１つのクリップには、前記複数のプレイアイテムから参照されていない領域が存在し、
前記制御部は、前記参照されていない領域を他のクリップと対応するように関連づけを行うことを特徴とする請求項１に記載の半導体集積回路。
【請求項３】
請求項１又は２に記載の半導体集積回路と、前記記録媒体とから構成される情報記録装置。
【請求項４】
請求項１〜３いずれかに記載の半導体集積回路と、ユーザーからの指示を受けるユーザーインターフェース制御部と、前記記録媒体から構成される情報記録装置であって、
前記制御部は、前記ユーザーインターフェース制御部からの指示に従い、前記管理ファイルを更新することにより、前記プレイリストを生成する
ことを特徴とする情報記録装置。
【請求項５】
請求項１又は２に記載の半導体集積回路の前記制御部により、対応を関連づけられた前記クリップと、前記管理ファイルとを備えることを特徴とする情報記録媒体。
【発明の詳細な説明】
【技術分野】
【０００１】
本発明は、光ディスクの記録再生装置に関し、特にプレイリスト再生の効率化を高める記録再生技術に関するものである。
【背景技術】
【０００２】
ＨＤＤ（ハードディスク）やＢＤ（ブルーレイディスク）等の記録媒体に映像や音楽を記録する際、図３のように録画されているクリップの他に、クリップを再生するための管理情報（プレイリスト）を記録している。クリップとは、例えば放送映像における１番組に１つのクリップが対応する。
【０００３】
ここでプレイリストは、クリップ自体を加工することなくリストを作成する(非破壊編集) ヴァーチャルプレイリストと、クリップ自体を加工しつつリストを作成する（破壊編集）とに区分される。例えば、映像や音楽をオリジナルのメディアから別のメディアへのコピー（ダビング）については、この２種類のリストのいずれにおいても実現可能である。かかる先行技術は、文献公知発明に係るものでないため、記載すべき先行技術文献情報はない。
【発明の開示】
【発明が解決しようとする課題】
【０００４】
ヴァーチャルプレイリストをダビングする場合、図３のように、プレイリスト中に存在する複数のプレイアイテムの参照するそれぞれのクリップが同一のクリップである場合、そのクリップ内でプレイアイテム１とプレイアイテム２に挟まれる領域ａ３も、領域ａ１と領域ａ２に加えてダビング対象となってしまう。
【０００５】
本来、この領域ａ３は、プレイリスト再生を行う際には不必要な領域であり、このように必要な領域以上のデータ領域ａ４分ダビングされることは、容量の無駄を生じさせている。この容量の無駄に起因して、ユーザーが本来ダビングを行いたい容量の映像・音声データを、ダビングすることができなくなってしまうという問題点がある。
【０００６】
そこで本発明は、このような事情を鑑みて創作された発明であり、プレイリスト再生に必要な領域のみを記録することにより、記録効率を高めることを目的とする。
【課題を解決するための手段】
【０００７】
上記の課題を解決するために、本発明に係る半導体集積回路は以下のような構成を有する。まず、本発明に係る半導体集積回路は、映像又は音声情報を記録し、さらに映像又は音声情報のうちの任意の情報を、プレイリストとして記録する情報記録装置に用いる回路である。さらにそのプレイリストは、複数のプレイアイテムから構成されている。さらにその半導体集積回路は、１つのクリップを複数のプレイアイテムが参照する場合、記録媒体の内部の管理ファイルにおいて１つのクリップを分割し、分割されたそれぞれのクリップが複数のプレイアイテムのそれぞれに対応するように関連付けを行う制御部を備えることを特徴とする。
【０００８】
さらに他の発明に係る半導体集積回路は、１つのクリップには、プレイアイテムから参照されていない領域が存在し、制御部が、前記参照されていない領域を他のクリップと対応するように関連づけを行うことを特徴とする。
【０００９】
さらに他の発明に係る情報記録装置は、ユーザーからの指示を受けるユーザーインターフェース制御部を備えており、制御部が、ユーザーインターフェース制御部からの指示に従い、管理ファイルを更新することにより、前記プレイリストを生成することを特徴とする。
【発明の効果】
【００１０】
本発明によれば、プレイリストのサイズ以上の容量をダビングしないようにしつつ、プレイリストの生成を実現することができる。
【発明を実施するための最良の形態】
【００１１】
以下、本発明の実施の形態について、記録再生装置の構成図、及び、記録媒体に記録されるクリップとプレイリストの関係図を用いて説明を行う。
【００１２】
（実施の形態１）
図１は本発明の実施の形態１における記録再生装置の構成図である。
【００１３】
図１に示すように記録再生装置１０１は、ＵＩ制御部１０２と、ＣＰＵ１０３とメモリ１０４からなる制御部１０５と、入力部１０７と、エンコーダ部１０８と、ドライブ制御部１１０と、ストリーム制御部１１１と、デコーダ部１１２と出力部１１３から構成される。
【００１４】
映像音声信号源１０６はチューナーやＡＶ再生機器とする。記録媒体１１８は記録再生装置１０１に挿入して使用するメディア１０９、または、記録再生装置１０１に内蔵された状態で使用するＨＤＤ１１７とする。スピーカー１１４とディスプレイ１１５は、プラズマテレビや液晶テレビなどの映像表示装置とする。
【００１５】
図１に示すように、記録再生装置１０１の制御部１０５は、ＣＰＵ(Central  Processing Unit)１０３とメモリ１０４から構成される。メモリ１０４は記録再生装置１０１の制御のために必要なプログラムやデータが保存されたＲＯＭ(Read Only Memory)とＣＰＵ１０３がワーク領域として利用するＲＡＭ（Random Access Memory）から構成される。
【００１６】
ドライブ制御部１１０は、メディア１０９またはＨＤＤ１１７に対して読み出し・書込み動作を実現する。ドライブ制御部は、前述動作に必要なピックアップ制御や機械制御部などから構成される。
【００１７】
制御部１０５はＢＤＡＶ記録方式に従った記録・再生制御を、エンコーダ部１０８とストリーム制御部１１１とドライブ制御部１１０を制御し、メディア１０９またはＨＤＤ１１７に対して実行する。
【００１８】
ＵＩ制御部１０２はユーザーによる操作を可能にする。キーボードやリモートコントロールによる手段がある。制御部１０５は前述したユーザーの操作に従い、記録再生装置１０１の動作を制御する。
【００１９】
映像音声信号源１０６は、アンテナから受信した放送信号やＡＶ再生機器の映像音声出力信号を示す。
【００２０】
入力部１０７は、映像音声信号源１０６をＡ／Ｄコンバータにより、デジタルデータに変換し、得られたデジタルデータをエンコーダ部１０８に出力する。
【００２１】
エンコーダ部１０８は制御部１０５の命令に従い、前述したデジタルデータのエンコード処理を行う。
【００２２】
ここで、エンコード処理とは、デジタルデータを符号化し、ＭＰＥＧ方式に準拠したプログラム・ストリーム形式のＡＶデータを生成する処理である。記録時には、ストリーム制御部１１１はエンコーダ部１０８のＡＶデータをドライブ制御部１１０からメディア１０９またはＨＤＤ１１７へ書き込み、そしてエンコードされたＡＶデータの管理情報を制御部１０５の指示によりメディア１０９またはＨＤＤ１１７へ書き込むことで記録が完了する。
【００２３】
また、再生時にはメディア１０９またはＨＤＤ１１７より管理情報とＡＶデータを読み取り、デコーダ部１１２で管理情報に従ったＡＶデータをデジタルデータへ復号し、出力部１１３はそのデジタルデータをＤ／Ａ変換しアナログデータをスピーカー１１４とディスプレイ１１５へ出力する。
【００２４】
また、編集時にはユーザーの編集操作をＵＩ制御部１０２で受け、制御部１０５においてＢＤＡＶ記録方式による編集制御をストリーム制御部１１１とドライブ制御部１１０に対して行い、メディア１０９またはＨＤＤ１１７のＡＶデータの管理情報へ編集内容を反映する。
【００２５】
また、記録再生装置１０１のうち、ＣＰＵ１０３、エンコーダ部１０８、ストリーム制御部１１１、及び、デコーダ部１１２を１つのシステムＬＳＩ１１６にて構成することで、より記録再生装置の面積を小さくすることができる。
【００２６】
ここで、上記のシステム構成において、本発明に係るプレイリストとクリップの関係について、図２を用いて説明を行う。
【００２７】
本実施の形態に係る記録媒体１１８には、メディア１０９やＨＤＤ１１７のような種類が挙げられるが、いずれの媒体を用いても、図２のようにプレイリスト管理ファイルとクリップが記録されている。
【００２８】
ここで、プレイリスト管理ファイルとは、プレイリストとクリップとの関連性が記録されているファイルのことである。このプレイリスト管理ファイルを、プレイリストが生成される際に更新すべきか否かについては、ユーザーインターフェース制御部１０２からの指示に従い、制御部１０５が制御信号をドライブ制御部１１０に対して送ることにより判断を行う。
【００２９】
そして、図２のように、複数のプレイアイテム（プレイアイテム１、プレイアイテム２）で、同一のクリップを参照する場合には、プレイアイテム１にも、プレイアイテム２にも参照されていない領域ａ３が存在する場合がある。このａ３のような領域の存在の判断については、制御部１０５が、ドライブ制御部１１０、ストリーム制御部１１１を介して、メディア１０９又はＨＤＤ１１７のような記録媒体１１８内のクリップを参照することにより判断を行う。
【００３０】
上記のような領域が存在すると判断した場合、制御部１０５は、記録媒体の内部の管理ファイルにおいて対象のクリップを分割し、分割されたそれぞれのクリップが複数のプレイアイテムのそれぞれに対応するように関連付けを行うように制御を行う。
【００３１】
次に制御部１０５は、関連付けられた対応関係を、ドライブ制御部１１０、ストリーム制御部１１１を介して、プレイリスト管理ファイルへ記録する。
【００３２】
ここで、制御部１０５は、プレイリスト管理ファイルの記録内容を変更するのみであり、実際のクリップを変更するわけではない。
【００３３】
このような制御により、ダビングを行う際には、プレイリスト再生には不必要な領域ａ３をダビングしないこととなり、容量の無駄使いを抑えることができる。
【００３４】
なお、図２を用いた説明においては、２つのプレイアイテムに挟まれた領域がクリップ内に存在する場合について述べられているものの、プレイアイテムの数は３つ以上存在し、挟まれた領域が複数存在していても、本発明の動作は同様に実現可能である。
【産業上の利用可能性】
【００３５】
本発明は、プレイリストの編集や再生を行うような映像・音声の記録再生装置において特に有用である。
【図面の簡単な説明】
【００３６】
【図１】本発明に係る情報記録装置の構成図
【図２】本発明におけるプレイリストとクリップの関係図
【図３】背景技術におけるプレイリストとクリップの関係図
【符号の説明】
【００３７】
１０１  記録再生装置
１０２  ＵＩ制御部
１０３  ＣＰＵ
１０４  メモリ
１０５  制御部
１０６  映像音声信号源
１０７  入力部
１０８  エンコーダ部
１０９  メディア
１１０  ドライブ制御部
１１１  ストリーム制御部
１１２  デコーダ部
１１３  出力部
１１４  スピーカー
１１５  ディスプレイ
１１６  システムＬＳＩ
１１７  ＨＤＤ
１１８  記録媒体
【図１】
2009259307.tif 000003
【図２】
2009259307.tif 000004
【図３】
2009259307.tif 000005